(57)【要約】【課題】本発明は、操作がより簡便である携帯式電子装置のロック解除システム及びそのロック解除方法を提供することを目的とする。【解決手段】本発明に係るロック解除システムは、携帯式電子装置の加速度範囲、回転方向、角度、回転操作予定完了時間を予め設定する設定モジュールと、携帯式電子装置の回転方向、角度及び加速度を取得する取得モジュールと、取得した回転方向及び角度が回転操作予定完了時間内で変化があるかを測定して、今回の回転操作で完了するかどうかを判断する処理モジュールと、回転方向及び角度が回転操作予定完了時間内で変化がない場合、回転方向、角度及び加速度と、予め設定された回転方向、角度及び加速度と、を比較する判断モジュールと、回転方向、角度及び加速度が、予め設定された回転方向、角度及び加速度と一致した場合、ロック解除を行なうロック解除モジュールと、を備える。【選択図】図３
2013251898.tif 000002
【特許請求の範囲】
【請求項１】
携帯式電子装置のロック解除操作に必要な加速度範囲、回転方向、角度、回転操作完了時間を予め設定する設定モジュールと、
前記携帯式電子装置の回転方向、角度及び加速度を取得する取得モジュールと、
前記携帯式電子装置の回転方向及び角度が予め設定された回転操作予定完了時間内で変化があるかを測定して、今回の回転操作で完了するどうかを判断する処理モジュールと、
前記測定した回転方向及び角度が前記予め設定された回転操作予定完了時間内で変化がない場合、前記取得された回転方向、角度及び加速度と、前記予め設定された回転方向、角度及び加速度と、を比較する判断モジュールと、
前記取得された回転方向、角度及び加速度が、前記予め設定された回転方向、角度及び加速度と一致した場合、前記携帯式電子装置に対してロック解除を行なうロック解除モジュールと、
を備えることを特徴とするロック解除システム。
【請求項２】
前記携帯式電子装置は、ジャイロスコープ、加速度計、記憶装置及び表示スクリーンを備え、
前記設定モジュールは、前記携帯式電子装置を所定の方式によって回転させ、前記ジャイロスコープは前記携帯式電子装置の回転方向及び角度を持続的に検知し、前記加速度計は前記携帯式電子装置の加速度を持続的に検知し、前記検知された回転方向、角度及び加速度を前記記憶装置に記憶させることによって設定することを特徴とする請求項１に記載のロック解除システム。
【請求項３】
前記ロック解除システムは、前記記憶装置に記憶されている回転方向、角度及び加速度を読み出して、該読み出した回転方向、角度及び加速度が前記表示スクリーン上に表示されるように制御する伝送モジュールをさらに備えることを特徴とする請求項２に記載のロック解除システム。
【請求項４】
前記ロック解除は、前記表示スクリーンのロックに対する解除又はキーボードのロックに対する解除を含み、前記ロック解除操作の回転方向及び角度は、前記携帯式電子装置が前記表示スクリーンに垂直である平面で、所定の加速度で反時計方向へ所定角度回転した後、再度時計方向へ同一所定角度回転することを特徴とする請求項２又は３に記載のロック解除システム。
【請求項５】
前記ロック解除操作は、前記ロック解除モジュールがプロセッサにロック解除命令を発信し、前記プロセッサが該ロック解除命令に基づいて、前記携帯式電子装置に対してロック解除を行なって、前記携帯式電子装置がロック状態からロック解除状態に変換されることを特徴とする請求項１から４のいずれか一項に記載のロック解除システム。
【請求項６】
携帯式電子装置を回転させてロック解除操作に必要である加速度範囲、回転方向、角度を取得するステップと、
前記携帯式電子装置の回転方向及び角度が予め設定された回転操作予定完了時間内で変化があるかを測定して、今回の回転操作で完了するかどうかを判断するステップと、
前記測定した回転方向及び角度が前記予め設定された回転操作予定完了時間内で変化がない場合、前記取得された回転方向、角度及び加速度と、前記予め設定された回転方向、角度及び加速度と、を比較するステップと、
前記携帯式電子装置に対してロック解除を行なうステップと、
を含むことを特徴とするロック解除方法。
【請求項７】
前記ロック解除方法は、前記携帯式電子装置のロック解除操作に必要な加速度範囲、回転方向、角度、回転操作完了時間を予め設定するステップをさらに含むことを特徴とする請求項６に記載のロック解除方法。
【請求項８】
前記予め設定するステップは、前記携帯式電子装置を所定の方式によって回転させるサブステップと、
ジャイロスコープで前記携帯式電子装置の回転方向及び角度を持続的に検知し、加速度計で前記携帯式電子装置の加速度を持続的に検知するサブステップと、
前記検知された回転方向、角度及び加速度を記憶装置に記憶させるサブステップと、
を含むことを特徴とする請求項７に記載のロック解除方法。
【請求項９】
前記ロック解除操作は、ロック解除モジュールがプロセッサにロック解除命令を発信し、前記プロセッサが該ロック解除命令に基づいて、前記携帯式電子装置に対してロック解除を行なって、前記携帯式電子装置がロック状態からロック解除状態に変換されることを特徴とする請求項６から８のいずれか一項に記載のロック解除方法。
【請求項１０】
前記ロック解除方法は、回転操作における前記携帯式電子装置の回転方向及び角度が予め設定された回転操作予定完了時間内で変化がある場合、前記携帯式電子装置の加速度、回転方向及び角度を取得するステップを実行し、前記取得した加速度、回転方向及び角度が予め設定された加速度、回転方向及び角度と一致しない場合、前記携帯式電子装置の加速度、回転方向及び角度を取得するステップを実行することを特徴とする請求項６から９のいずれか一項に記載のロック解除システム。
【発明の詳細な説明】
【技術分野】
【０００１】
本発明は、携帯式電子装置のロック解除システム及びそのロック解除方法に関するものである。
【背景技術】
【０００２】
携帯電話等の携帯式電子装置の起動、誤作動の防止、個人情報の保護等のために、通常、待機状態下で、携帯式電子装置をロックする。従って、携帯式電子装置を使用したい場合は、該ロックを解除して携帯式電子装置を使用する。従来のロック解除方式には、暗号入力ロック解除方式及びスライドロック解除方式がある。暗号入力ロック解除方式においては、所定の順序に沿って暗号を入力して電子装置の表示スクリーンのロックを解除する。スライドロック解除方式においては、前記表示スクリーンに対して特定のスライド操作を行なってロックを解除する。
【０００３】
しかし、このようなロック解除方式は複雑であり、且つユーザーのロック解除方式に対する個人の要求を満たしにくい。また、前記スライドロック解除方式は、タッチスクリーンを摩擦して操作を行なうので、タッチスクリーンが汚れ易く、且つ傷もつき易い。
【発明の概要】
【発明が解決しようとする課題】
【０００４】
以上の問題点に鑑みて、本発明は、操作がより簡便である携帯式電子装置のロック解除システム及びそのロック解除方法を提供することを目的とする。
【課題を解決するための手段】
【０００５】
前記課題を解決するために、本発明に係るロック解除システムは、携帯式電子装置のロック解除操作に必要な加速度範囲、回転方向、角度、回転操作予定完了時間を予め設定する設定モジュールと、前記携帯式電子装置の回転方向、角度及び加速度を取得する取得モジュールと、前記携帯式電子装置の回転方向及び角度が予め設定された回転操作予定完了時間内で変化があるかを測定して、今回の回転操作で完了するかどうかを判断する処理モジュールと、前記測定した回転方向及び角度が前記予め設定された回転操作予定完了時間内で変化がない場合、前記取得された回転方向、角度及び加速度と、前記予め設定された回転方向、角度及び加速度と、を比較する判断モジュールと、前記取得された回転方向、角度及び加速度が、前記予め設定された回転方向、角度及び加速度と一致した場合、前記携帯式電子装置に対してロック解除を行なうロック解除モジュールと、を備える。
【０００６】
また、前記課題を解決するために、本発明に係るロック解除方法は、携帯式電子装置を回転させてロック解除操作に必要な加速度範囲、回転方向、角度を取得するステップと、前記携帯式電子装置の回転方向及び角度が予め設定された回転操作予定完了時間内で変化があるかを測定して、今回の回転操作で完了するかどうかを判断するステップと、前記測定した回転方向及び角度が前記予め設定された回転操作予定完了時間内で変化がない場合、前記取得された回転方向、角度及び加速度と、前記予め設定された回転方向、角度及び加速度と、を比較するステップと、前記携帯式電子装置に対してロック解除を行なうステップと、を含む。
【発明の効果】
【０００７】
本発明に係る携帯式電子装置のロック解除システム及びそのロック解除方法において、所定の回転方向、角度及び加速度によって携帯式電子装置に対してロック解除を行なうので、携帯式電子装置のロック解除機能を容易に制御することができる。これにより、ロック操作は簡単になり、且つユーザーが回転方向、角度、加速度などの操作パラメーターを自分の好みにあわせて設定することができるので、ロック解除方式に対する個人の要求を満たすことができる。また、本発明に係るロック解除方式は、タッチスクリーを摩擦させて操作を行なわないので、タッチスクリーンが容易に汚れたり、傷がつくことを防止することができる。
【図面の簡単な説明】
【０００８】
【図１】本発明に係る携帯式電子装置の機能ブロック図である。
【図２】図１に示した携帯式電子装置のロック解除システムの機能ブロック図である。
【図３】本発明に係る携帯式電子装置のロック解除方法のフローチャートである。
【図４】本発明に係る携帯式電子装置のロック解除システムを利用して携帯式電子装置に対してロック解除操作を行なう過程を示す図である。
【発明を実施するための形態】
【０００９】
以下、図面に基づいて、本発明に係る携帯式電子装置のロック解除システム及びそのロック解除方法について詳細に説明する。
【００１０】
図１に示したように、本発明に係る携帯式電子装置１は、ロック解除システム１０、ジャイロスコープ（ｇｙｒｏｓｃｏｐｅ）２０、加速度計３０、信号処理ユニット４０、プロセッサ５０、記憶装置６０、表示スクリーン７０及びキー８０を備える。携帯式電子装置１は、待機状態、ロック状態及び工作状態を備える。
【００１１】
ジャイロスコープ２０は、携帯式電子装置１の回転角速度を感知するために用いられる。加速度計３０は、重力センサー（ｇｒａｖｉｔｙ  ｓｅｎｓｏｒ）又は線形加速度計（ａｃｃｅｌｅｒｏｍｅｔｅｒ）であり、且つ携帯式電子装置１の加速度を検知するために用いられる。信号処理ユニット４０は、ジャイロスコープ２０及び加速度計３０に電気的に接続されて、ジャイロスコープ２０が検知した回転角速度を、携帯式電子装置１の回転方向及び角度に変換し、且つ加速度、回転方向及び角度に基づいて相応する変化曲線を生成する。
【００１２】
プロセッサ５０は、加速度、回転方向、角度及び対応して生成された変化曲線を、表示スクリーン７０に表示させて、ユーザーが、このスクリーン７０を介して、携帯式電子装置１の回転方向及び角度がわかるようにし、且つ表示された加速度、回転方向及び角度に基づいて、携帯式電子装置１の回転に対して調節して、ロック解除条件に一致するようにする。記憶装置６０は、予め設定された携帯式電子装置１のロック解除操作に必要な加速度、回転方向及び角度と、ジャイロスコープ２０及び加速度計３０がリアルタイムに検知した携帯式電子装置１の回転方向及び角度、加速度と、を記憶する。
【００１３】
前記ロック解除条件とは、ロック状態での携帯式電子装置１の加速度、回転方向及び角度と、記憶装置６０に記憶されているロック解除操作に必要である加速度、回転方向及び角度と、が一致することを指す。例えば、図４に示したように、ロック解除操作の回転方向及び角度は、携帯式電子装置１がその表示スクリーン７０に垂直である平面で、所定の加速度で反時計方向へ１８０度回転した後、再度時計方向へ１８０度回転する。この回転過程において、表示スクリーン７０には、携帯式電子装置１が回転された角度（例えば、４５度、６０度、９０度等）がリアルタイムに表示される。本実施例においては、表示スクリーン７０上に、該携帯式電子装置１が反時計方向へ９０度回転されたことが表示される。この時、加速度計３０が感知した加速度、ジャイロスコープ２０が感知した回転方向及び角度が、予め設定されているロック解除操作に必要な加速度、回転方向及び角度と一致すると、携帯式電子装置１は自動的にロックを解除する。
【００１４】
本実施形態において、ロック解除操作に必要な回転方向及び角度は、携帯式電子装置１をその表示スクリーン７０に水平である平面で、所定の加速度で反時計方向へ３０度、４５度、又は６０度回転させた後、再度時計方向へ３０度、４５度、又は６０度回転させるか、或いは時計方向へ３０度、４５度、又は６０度回転させた後、再度反時計方向へ３０度、４５度、又は６０度回転させるか、或いは上述した任意の２種の回転方向と角度との組み合わせからなり、これにより、安全性が高いロック解除操作を得ることができる。
【００１５】
キー８０は、プロセッサ５０に電気的に接続されて、携帯式電子装置１に他のロック解除方式を提供する。例えば、携帯式電子装置１が待機状態である時、ユーザーが、キー８０を押圧して該携帯式電子装置１をロック状態にし、表示スクリーン７０上でスライドを行うことによって、第一ロック解除を実現し、次いで、該表示スクリーン７０上に表れた入力欄に相応する暗号を入力して第二ロック解除を実現する。以上により、携帯式電子装置１に対するロック解除は完了する。
【００１６】
図２に示したように、ロック解除システム１０は、プロセッサ５０を制御して携帯式電子装置１に対してロック解除操作を行なう。ロック解除は、表示スクリーン７０のロックに対する解除又はキーボードのロックに対する解除を含む。ロック解除システム１０は、設定モジュール１１、取得モジュール１２、伝送モジュール１３、処理モジュール１５、判断モジュール１６及びロック解除モジュール１７を備える。上述したモジュールとは、特定の機能を有するソフトウェアのプログラムセグメントであり、ソフトウェアは、コンピュータの読取可能な記憶媒体又は他の記憶装置に記憶され、且つコンピュータ又はプロセッサを備えた他の計算機によって実行されて、本発明に係る携帯式電子装置１に対してロック解除方式の設定及びロック解除操作を行なう。
【００１７】
設定モジュール１１は、携帯式電子装置１のロック解除操作に必要である加速度範囲、回転方向及び角度を予め設定する。該設定の方法とは以下の通りである。
【００１８】
携帯式電子装置１を所定の方式によって回転させ、この回転過程において、ジャイロスコープ２０及び加速度計３０は、携帯式電子装置１の回転方向、角度及び加速度を持続的に検知し、且つ該検知した回転方向、角度及び加速度を、携帯式電子装置１のロック解除操作に必要な予め設定された回転方向、角度及び加速度範囲として、記憶装置６０に記憶する。図４を参照すると、予め設定された回転方向及び角度は、携帯式電子装置１がその表示スクリーン７０に垂直である平面で、反時計方向へ１８０度回転した後、再度時計方向へ１８０度回転した角度である。また、他の実施形態において、ユーザーの好み又は習慣に従って回転方向、角度及び加速度範囲を設定することができる。この時、加速度範囲内で、予め設定された回転方向及び角度に携帯式電子装置１を回転させると、携帯式電子装置１のロックは解除される。
【００１９】
また、設定モジュール１１に対して、回転操作予定完了時間（例えば、０．５秒、１秒）を設定することもできる。該回転操作予定完了時間は、実際回転操作を行なう際の、回転操作が完了したかどうかを判断する基となる。例えば、正確なロック解除操作の時間が、この予め設定された回転操作予定完了時間内で完了すると、次の操作を行なうことができ、逆にロック解除操作の時間が、予め設定された回転操作予定完了時間（例えば、１．５秒、２秒）を超えるか、又はロック解除操作が誤操作されると、再度ロック解除操作を再度行なう。
【００２０】
取得モジュール１２は、ジャイロスコープ２０及び加速度計３０が検知した携帯式電子装置１の回転方向、角度及び加速度を取得して、記憶装置６０に記憶させる。
【００２１】
伝送モジュール１３は、記憶装置６０に記憶されている回転方向、角度及び加速度を読み出して、プロセッサ５０に伝送させ、プロセッサ５０は、該回転方向、角度及び加速度が表示スクリーン７０上に表示されるように制御する。
【００２２】
処理モジュール１５は、プロセッサ５０に制御命令を発信し、プロセッサ５０は、該制御命令に基づいて、記憶装置６０に記憶されている回転方向及び角度が、予め設定された回転操作予定完了時間（例えば、１秒）内で変化があるかどうかを測定して、今回の回転操作で完了するかどうかを判断する。例えば、記憶装置６０に記憶されている回転方向及び角度が、予め設定された回転操作予定完了時間内で変化がない場合、今回の回転操作で完了すると判断し、これとは逆に、変化がある場合、回転操作を引き続き行うことを判断する。
【００２３】
プロセッサ５０は、記憶装置６０に記憶されている加速度が、予め設定された回転操作予定完了時間内で、加速度範囲を越えたかどうかを測定する。該加速度が予め設定された加速度範囲を越えた場合、今回の回転操作を引き続き行ない、これとは逆に、越えない場合、取得モジュール１２によって携帯式電子装置１の加速度を再度取得する。
【００２４】
判断モジュール１６は、完了した回転操作が前記ロック解除操作条件と一致するかどうかを判断する。即ち、取得モジュール１２が持続的に取得した今回の回転操作におけるジャイロスコープ２０及び加速度計３０が検知した携帯式電子装置１の回転方向、角度及び加速度と、記憶装置６０に記憶されている回転方向、角度及び加速度と、を比較して、今回の回転操作がロック解除操作条件と一致するかどうかを判断する。
【００２５】
ロック解除モジュール１７は、プロセッサ５０にロック解除命令を発信して、携帯式電子装置１に対してロック解除を行なう。具体的には、今回の回転操作がロック解除操作条件と一致した場合（即ち、取得した回転方向、角度及び加速度が、記憶装置６０に記憶された回転方向、角度及び加速度と一致した場合）、ロック解除モジュール１７は、プロセッサ５０にロック解除命令を発信し、該プロセッサ５０は、該ロック解除命令に基づいて携帯式電子装置１に対してロック解除を行なう。この時、携帯式電子装置１は、ロック状態から工作状態に変換される。
【００２６】
図３を併せて参照すると、携帯式電子装置１のキーボード又は表示スクリーン７０がロック状態である場合、ジャイロスコープ２０は、携帯式電子装置１の回転方向及び角度を検知し、加速度計３０は、携帯式電子装置１の加速度を検知して、携帯式電子装置１のロックを解除するかを判断する。
【００２７】
以下、本発明に係る携帯式電子装置１のロックを解除する方法（ステップＳ１〜Ｓ６）について具体的に説明する。
【００２８】
ステップＳ１において、携帯式電子装置１を回転させる。該回転過程においてジャイロスコープ２０は、携帯式電子装置１の回転方向及び角度を持続的に検知し、加速度計３０は、携帯式電子装置１の加速度を持続的に検知し、信号処理ユニット４０は、ジャイロスコープ２０によって検知された回転角速度を携帯式電子装置１の回転方向及び角度に変換する。
【００２９】
ステップＳ２において、取得モジュール１２は、信号処理ユニット４０から携帯式電子装置１の回転方向、角度及び加速度を取得し、且つ記憶装置６０に記憶させる。
【００３０】
ステップＳ３において、伝送モジュール１３は、記憶装置６０に記憶されている携帯式電子装置１の回転方向、角度及び加速度を読み出してプロセッサ５０に伝送し、該プロセッサ５０は、該回転方向、角度及び加速度が表示スクリーン７０上に表示されるように制御する。
【００３１】
ステップＳ４において、処理モジュール１５は、プロセッサ５０に制御命令を発信して、記憶装置６０に記憶された加速度、回転方向及び角度が予め設定された回転操作予定完了時間（例えば、１秒）内で変化があるかどうかを測定して、今回の回転操作で完了するかどうかを判断する。例えば、記憶装置６０に記憶された回転方向及び角度が、予め設定された回転操作予定完了時間内で変化がない場合、今回の回転操作は完了し、ステップＳ５に移動する。これとは逆に、変化がある場合、今回の回転操作は引き続き行なわれ、且つステップＳ１に戻る。
【００３２】
ステップＳ５において、判断モジュール１６は、検知した加速度、回転方向及び角度がロック解除操作条件と一致するかどうかを判断する。即ち、判断モジュール１６は、既に取得した携帯式電子装置１の回転方向、角度及び加速度と、記憶装置６０に記憶されている回転方向、角度及び加速度と、を比較して、今回の回転操作がロック解除操作条件と一致するかどうかを判断する。既に取得した携帯式電子装置１の回転方向、角度及び加速度と、記憶装置６０に記憶されている回転方向、角度及び加速度と、が一致した場合、判断モジュール１６は、今回の回転操作はロック解除操作条件と一致したと判断し、且つステップＳ６に移動する。しかし、既に取得した携帯式電子装置１の回転方向、角度及び加速度と、記憶装置６０に記憶されている回転方向、角度及び加速度と、が一致しない場合、判断モジュール１６は、今回の回転操作はロック解除操作条件と一致しなかったと判断し、且つステップＳ１に戻る。
【００３３】
ステップＳ６において、ロック解除モジュール１７は、プロセッサ５０にロック解除命令を発信し、プロセッサ５０は、該ロック解除命令に基づいて携帯式電子装置１に対してロック解除を行なう。この時、携帯式電子装置１は、ロック状態からロック解除状態に変換される。
【００３４】
本発明に係る携帯式電子装置１のロック解除システム１０及びそのロック解除方法において、所定の回転方向、角度及び加速度によって携帯式電子装置１に対してロック解除を行なうので、携帯式電子装置１のロック解除機能を容易に制御することができる。これにより、ロック操作は簡単になり、且つユーザーが回転方向、角度、加速度などの操作パラメーターを自分の好みにあわせて設定することができるので、ロック解除方式に対する個人の要求を満たすことができる。また、本発明に係るロック解除方式は、タッチスクリーを摩擦させて操作を行なわないので、タッチスクリーンが容易に汚れたり、傷がつくことを防止することができる。
【００３５】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３６】
１  携帯式電子装置
１０  ロック解除システム
１１  設定モジュール
１２  取得モジュール
１３  伝送モジュール
１５  処理モジュール
１６  判断モジュール
１７  ロック解除モジュール
２０  ジャイロスコープ
３０  加速度計
４０  信号処理ユニット
５０  プロセッサ
６０  記憶装置
７０  表示スクリーン
８０  キー
【図１】
2013251898.tif 000003
【図２】
2013251898.tif 000004
【図３】
2013251898.tif 000005
【図４】
2013251898.tif 000006